(57)【特許請求の範囲】
【請求項１】
ブラシを収容し、前記ブラシの移動方向両端側に開口部が形成されたブラシケースと、前記ブラシの一端側に当接し、ブラシの他端側を整流子側に押圧するブラシ付勢手段と、前記ブラシケースの開口部の一端側に連通形成され、前記ブラシの移動に伴い前記ブラシ付勢手段の前記ブラシへ当接する一端側を挿通案内する案内部と、前記ブラシ付勢手段の他端側を固定保持する保持手段と、を備えたモータのブラシ装置において、前記案内部の前記ブラシ一端側より前記開口部側に形成され、前記ブラシ付勢手段の一端側が前記ブラシ一端側に移動する際、該移動方向に移動すると同時に該移動方向とは異なる方向に移動させることにより、前記ブラシ付勢手段の一端側を前記ブラシ一端側に当接する際の衝撃力を緩和する衝撃力緩和手段を備えたことを特徴とするモータのブラシ装置。
【請求項２】
前記衝撃力緩和手段は、前記案内部の開口部側から前記ブラシ一端側に向かって形成されたテーパ部であることを特徴とする請求項１記載のモータのブラシ装置。
【発明の詳細な説明】
【０００１】
【発明の属する技術分野】
本発明はモータのブラシ装置に関する。
【０００２】
【従来の技術】
従来、モータのブラシ装置には、特開平５−２１１７４８号公報に示されるように、ブラシ振動による異音防止の為ブラシ後端（ブラシスプリングが接触押圧する部位）にテーパ角度を有する面を形成し、その面を押圧することによりブラシをブラシケースの所定側面に押し付けながら整流子側へ押圧することにより、ブラシをブラシケース内で安定させる構造とするものが知られている。このようにテーパによる分力を有効に生かすには、該テーパ角度を有するブラシ後端形状を傷付け変形させないようにしなくてはならない。
【０００３】
このため、ブラシスプリングは同公報に記載のようなコイルスプリングタイプとし、ブラシにブラシスプリングを当てるよう組み付ける時にブラシ後端形状を傷付けにくいものとしている。
【０００４】
しかし、このようなコイルスプリングでは、コイルスプリング自体がブラシホルダ内で占める割合が多くなり、ブラシ有効長さが充分確保できないモータが存在し、トーションスプリングタイプ（図３参照）を採用することが考えられた。このトーションスプリングタイプのブラシスプリングではブラシとスプリングが1点で極所的に接触するため、その点における面圧が極端に高くなり、ブラシ後端面に食い込んでしまい、テーパ角度を生かせず、異音発生を完全に防止することは出来なかった。
【０００５】
組み付け時にブラシ後端に低過重にてブラシスプリングを接触させれば良いが、工数増や作業のバラツキ等を考えれば困難であった。
【０００６】
【発明が解決しようとする課題】
本発明は、作業工数を増加させることなく、組み付け作業のばらつきも構造的に吸収するもので、ブラシ後端面の形状の傷付け防止を可能とし、異音発生がないモータのブラシ装置を提供することを目的とする。
【０００７】
【課題を解決するための手段】
上記目的を達成するため、請求項１の発明は、ブラシを収容し、前記ブラシの移動方向両端側に開口部が形成されたブラシケースと、前記ブラシの一端側に当接し、ブラシの他端側を整流子側に押圧するブラシ付勢手段と、前記ブラシケースの開口部の一端側に連通形成され、前記ブラシの移動に伴い前記ブラシ付勢手段の前記ブラシへ当接する一端側を挿通案内する案内部と、前記ブラシ付勢手段の他端側を固定保持する保持手段と、を備えたモータのブラシ装置において、前記案内部の前記ブラシ一端側より前記開口部側に形成され、前記ブラシ付勢手段の一端側が前記ブラシ一端側に移動する際、該移動方向に移動すると同時に該移動方向とは異なる方向に移動させることにより、前記ブラシ付勢手段の一端側を前記ブラシ一端側に当接する際の衝撃力を緩和する衝撃力緩和手段を備えたことを特徴とするモータのブラシ装置をその要旨としている。
【０００８】
また、請求項２の発明は、前記衝撃力緩和手段は、前記案内部の開口部側から前記ブラシ一端側に向かって形成されたテーパ部であることを特徴とする請求項１記載のモータのブラシ装置をその要旨としている。
【０００９】
また、請求項３の発明は、前記衝撃力緩和手段は、前記案内部の開口部側から前記ブラシ一端側に向かって形成されたテーパ部であることを特徴とする請求項２記載のモータのブラシ装置その要旨としている。
【００１０】
この発明のモータのブラシ装置によれば、既存の案内部を利用しブラシ一端側にブラシ付勢手段を当節する際の衝撃力を緩和させることが可能であり、結果ブラシ一端側を傷付けることなく当接できる。つまり、組み付け時にブラシ付勢手段の一端側が衝撃力緩和手段によって一旦ブラシ一端側に当接しようとする力が弱まり、その弱まった力で当接することになる。従って、ブラシ一端側にテーパ角度を有する面を形成していても該テーパ面を痛めないのでテーパ角度を有効に利用でき異音発生を防止できる。
【００１１】
また、請求項２の発明によれば、通常ブラシ一端側へのみ働くブラシ付勢手段の力を分散させ、ブラシ一端側に当接しようとする力を弱めることができるとともに、組み付け時に自動的に前記力の分散を発生させることが出来る構造である。
【００１２】
また、請求項３の発明によれば、組み付け時に自動的に前記力の分散を発生させることが出来る構造である。
【００１３】
【発明の実施の形態】
次に、本発明を図に示す実施例について説明する。図１は本発明実施例の回転電機１０の断面図である。図１において、本発明実施例の回転電機１０は、小型モータ２０と、ブラシホルダ３０と、を有し、モータヨーク２６に収納するようになっている。
【００１４】
小型モータ２０は一般的なＤＣモータで、回転軸２１と、回転軸２１に固定された整流子２２と、回転軸２１に固定された積層コア２４と、積層コア２４のスロットに巻回された巻線２５とを備えた電機子５０を構成している。また、モータヨーク２６の内壁に固着された磁石２３と、整流子２２に接触しモータ２０に給電するブラシ３１を備えるブラシホルダ３０を有し、金属製のモータヨーク２６とヨーク２６の蓋であるフレームエンド２７内に収容するようになっている。
【００１５】
図２はブラシホルダ付近の断面図である。ブラシホルダ３０上にはブラシ３１と、ブラシ３１を収納ガイドする一方が開口のブラシケース３２と、ブラシケース３２内でブラシ３１を整流子２２に押圧するトーションスプリング３３と、トーションスプリング３３を係止するスプリング係止部３４と、ブラシ３１と給電ターミナルとを電気接続するピッグテール３５とを有し、樹脂モールド成形し、モータヨーク２６に固定している。
【００１６】
図３はブラシケース３２の説明図であり、図４はブラシ３１とトーションスプリング３３をブラシケース３２内に組み付けた初期状態を示す説明図である。ブラシホルダ３２にはブラシ３１の移動方向に設けられた一端側開口部３２ａ及び他端側（整流子対向側）開口部３２ｂとが形成されている。この一端開口部３２ａ側から連続して形成され、トーションスプリング３３の一端側３３ａをブラシ３１の磨耗変移に追従できるよう案内溝３２ｃがある。そしてこの案内溝３２ｃの開口部３２ａ側から突き当たり面に向かって案内溝が狭まるようにテーパ部３２ｄが形成されている。
【００１７】
ブラシ３１をブラシケース３２内に配置し、トーションスプリング３３をこのブラシ３１に向けて組み付ける時、先ず最初にトーションスプリング３３がテーパ部３２ｄの低い位置（開口部３２ａ側）に接触し、徐々にテーパ部３２ｄを高い方に向かって移動する。この時、トーションスプリング３３の一端側３３ａは自身のバネ圧により移動が可能で、このテーパ部３２ｄを乗り越える。そして乗り越え直後にブラシ後端面３１ａに当接することとなる。当接後は、一端側３３ａがブラシ後端面３１ａの中心部分に当接するようテーパ部３２ｄは設定されている。
【００１８】
図５によりトーションスプリング３３の挙動を説明する。従来のブラシケースは図６に示すようにテーパ部は存在しない。従って、Ｂ点から（この位置で離す）トーションスプリング３３の一端側３３ａがブラシ３１に向かって付勢力が発生する。つまりＢ点が組み付け位置となる。これに対し、本ブラシケース３２のようにテーパ部３２ｄがあるとＢ点で離しても一端テーパ部３２ｄにあたり、更にテーパ部３２ｄを越えたＡ点からブラシ３１に向かう付勢力が発生することとなる。
【００１９】
トーションスプリング３３の一端側３３ａの初期位置（図５中の実線位置）からのたわみ角がＢ点よりＡ点の方が小さく、かつ、ブラシ後端面３１ａとの距離が短いことからブラシ３１に加わる初期過重はＡ点からのほうが小さく、ブラシ後端面３１ａは傷つかない。したがって、トーションスプリング３３を初期位置からＢ点に移動させ弾性反発力を発生させた後、そのままブラシ後端面３１ａに当てるより、一端テーパ部３２ｄに当ててその後Ａ点よりブラシ後端面３１ａに当てた方が過重が軽減されることになる。
【００２０】
更に、このテーパ部３２ｄによってトーションスプリング３３の一端側３３ａは摺動ロスを発生すると共にテーパによる分力発生によりブラシ後端面３１ａへの組み付けによる初期過重過重は低減される。
【００２１】
【発明の効果】
以上の説明より明らかなように、テーパ部３２ｄを利用することにより実際の組み付け位置をＢ点のまま行っても、過重は緩和され更にはトーションスプリング３３の一端側３３ａがブラシ３１に向かうスピードも低減された状態で組み付けられるのでブラシ後端面３１ａを傷付けることがない。従ってブラシ後端面ｎ３１ａにテーパ角を有しても、そのテーパ角を有効活用でき、異音防止が確実なものとなる。
【図面の簡単な説明】
【図１】  本発明実施例の回転電機の断面図（側面）である。
【図２】  本発明実施例のブラシホルダ付近の説明図である。
【図３】  本発明実施例のブラシケースの説明図（側面）である。
【図４】  本発明実施例のブラシ装置の初期状態を示す説明図（側面）である。
【図５】  本発明実施例のトーションスプリングの挙動を示す説明図である。
【図６】  従来のブラシケースを示す図（側面）である。
【符号の説明】
１０…回転電機、２０…モータ、２１…回転軸、２２…整流子、２３…磁石、２４…積層コア、２５…巻線、２６…ヨーク、３０…ブラシホルダ、３１…ブラシ、３１ａ…ブラシ後端面、３２…ブラシケース、３２ｃ…案内溝、３２ｄ…テーパ部、３３…トーションスプリング、３４…ブラシスプリング係止部、３５…ピッグテール、５０…電機子
【図１】
0003813483.tif 000002
【図２】
0003813483.tif 000003
【図３】
0003813483.tif 000004
【図４】
0003813483.tif 000005
【図５】
0003813483.tif 000006
【図６】
0003813483.tif 000007